(57)【特許請求の範囲】
【請求項１】
蓋本体と該蓋本体に対して連結バンドで連結される上蓋とを備え、
前記蓋本体は、容器口部に装着される基部と該基部の上側に設けられる注出筒部とを有し、
前記基部は、環状上面壁と該環状上面壁の周縁から下方に延びる外側環状壁と該外側環状壁から間隔を開けて該環状上面壁の下面から下方に延びる内側環状壁とからなり、該外側環状壁と該環状上面壁と該内側環状壁とからなる嵌合部に容器口部が嵌合され、外側環状壁の下端には分離用スコアを介して連結され前記容器口部の外周面に係止される分離用バンドと、該分離用バンドから外側へ突出するように形成され、該分離用バンドを引き裂くための分離用摘みとを設け、
前記注出筒部は、前記嵌合部の上端部を連結する環状上面壁から若しくは該環状上面壁周辺から上方へ突出し、その上端部で開封用バンドを介して前記上蓋と連結し、
前記上蓋は、下部に前記開封用バンドを介して前記注出筒部に連結する封止筒部と、前記封止筒部の上部に配設された天面壁とを設け、
前記開封用バンドと封止筒部との間には上開封用スコアを形成し、前記開封用バンドと前記注出筒部との間には下開封用スコアを形成して、前記封止筒部と注出筒部との間から前記開封用バンドの剥脱を可能とし、
該開封用バンドの剥脱後は、前記封止筒部を前記注出筒部に嵌合することによって、前記上蓋を蓋本体に対して閉栓するようにした容器蓋において、
前記上蓋の天面壁には前記分離用摘みに着脱可能な係合部を形成し、前記上蓋の開栓時に係合部を前記分離用摘みに係止させて上蓋を前記蓋本体に保持するようにしたことを特徴とする容器蓋。
【請求項２】
前記上開封用スコアは、前記封止筒部の下端外周面と前記開封用バンドの上端内周面との間に設けられ、前記下開封用スコアは、前記開封用バンド下端内周面と前記注出筒部の上端内周面との間に設けられていることを特徴とする請求項１に記載の容器蓋。
【請求項３】
前記上蓋の天面壁には一対の突部を形成し、突部間に形成された凹部によって、前記分離用摘みを挟持することを特徴とする請求項１又は２に記載の容器蓋。
【請求項４】
前記突部間の間隔は一端側が狭く他端側を広く形成することを特徴とする請求項１又は３に記載の容器蓋。
【請求項５】
前記連結バンドの前記蓋本体側の取付部を該蓋本体の外周面に設け、該取付部の下方に前記摘みを配置し、さらに開封用摘みを前記連結バンドに隣接させて配置することを特徴とする請求項１〜４のいずれかに記載の容器蓋。
【発明の詳細な説明】
【技術分野】
【０００１】
本発明は、分離用スコアを介して蓋本体と連結され、容器口部の係止顎部に係止される分離用バンドと、蓋本体と上蓋とを連結する連結バンドを備えた容器蓋に関する。
【背景技術】
【０００２】
特許文献１に開示された容器蓋は、円形天面壁、この天面壁の周縁から垂下する円筒状スカート壁、及びスカート壁の外周面に付設された摘み片を具備している。そして、スカート壁の下部には環状のスコア（環状破断手段）が形成されており、容器蓋はスコアよりも上方の上蓋（主部）とスコアよりも下方のタンパーエビデント裾部とに区画されている。このような容器蓋は、タンパーエビデント裾部に設けられている摘み片を掴んで環状のスコアを引き裂くことによって、容器の口頸部にビード状に周方向へ突出する係止顎部とタンパーエビデント裾部との係合状態を解除して、上蓋が口頸部に対して脱離可能になる。このタンバーエビデント裾部は、タンバーエビデント裾部のスコアが引き裂かれていなければ、開封されていないことが保証されるので、いたずら防止としての機能を有する。
この特許文献１の容器蓋のタンバーエビデント裾部は、上述したように、容器の口頸部に形成されたビード状の係止顎部に係止される構造である。したがって、タンバーエビデント裾部の環状のスコアを引き裂くことによって、上蓋が容器の口頸部から脱離できるので、この構造を利用することによって、容器が消耗されたときに容器蓋を口頸部から除去するための分離用としても応用が可能である。
【０００３】
特許文献２に開示された容器蓋は、上部に上蓋、上蓋の下部に胴部、胴部の下部にスカート部を設け、上蓋と胴部との間、胴部とスカート部との間には、上蓋とスカート部とを連結するバンド状の蝶番部を残して、切れ目線（スコア）を形成している。上蓋を開封するためには、切れ目を引き裂くことによって開栓が可能であり、開栓状態では、上蓋とスカート部とはバンド状の蝶番部によって連結され、上蓋の紛失が防止される。ところが、上蓋とスカート部とをバンド部材で連結すると、内容液の注出時において、上蓋がフリー状態となってぶらつくことから邪魔になることがあり、特許文献２では、これを防止するため、上蓋の係止部をスカート部に設けている。
すなわち、スカート部の外周部には雌係合片を形成し、上蓋には雄係合片を設け、注出時には上蓋の雄係合片をスカート部の雌係合片に固定させている。
【先行技術文献】
【特許文献】
【０００４】
【特許文献１】特開２０００−２２６０４８号公報
【特許文献２】実公昭６２−１９５５４号公報
【発明の概要】
【発明が解決しようとする課題】
【０００５】
特許文献２の容器蓋は、上蓋が容器の口頸部に装着され、上蓋よりも下に位置する胴部とスカート壁は、共に口頸部の周囲に装着される。このような構造であると、上蓋の開封前において、次のような密閉性に関する問題がある。
特許文献２では、密閉性をよくするため上蓋を容器の口頸部に強く装着すると、上蓋の口頸部への脱着時において、強い力を要することになる。したがって、胴部やスカート壁と口頸部との間で密閉性をよくさせればよいが、上蓋とスカート壁との間には、胴部を引き裂くための切れ目線を形成している。この切れ目線がある場合に、密閉性をよくするため切れ目線のある部分を強い力を負荷させて口頸部に装着させると、容器蓋の口頸部への打詮時に切れ目線が切断されてしまうので、胴部と口頸部との間は多少緩くする必要がある。よって、密閉性のために構造的な問題が生じる。
また、特許文献２に開示された容器蓋は、上蓋とスカート部とを連結するバンド状の蝶番部を形成しており、注出時において上蓋がフリー状態となってぶらつくことから邪魔になることがあり、これを防止するため、上蓋の係止部をスカート部に設けている。このように、係止部を別途形成すると、蓋部材の設計の自由度が失われたり、材料費も余計にかかってしまう。
本発明は、このような事情に鑑みてなされたものであって、上蓋の開封前に密閉性が失われることなく、注出時における上蓋の保持部を別途設けることなく保持できる容器蓋を提供することを目的とする。
【課題を解決するための手段】
【０００６】
本発明は、上記目的を達成するために、蓋本体と該蓋本体に対して連結バンドで連結される上蓋とを備え、前記蓋本体は、容器口部に装着される基部と該基部の上側に設けられる注出筒部とを有し、前記基部は、環状上面壁と該環状上面壁の周縁から下方に延びる外側環状壁と該外側環状壁から間隔を開けて該環状上面壁の下面から下方に延びる内側環状壁とからなり、該外側環状壁と該環状上面壁と該内側環状壁とからなる嵌合部に容器口部が嵌合され、外側環状壁の下端には分離用スコアを介して連結され前記容器口部の外周面に係止される分離用バンドと、該分離用バンドから外側へ突出するように形成され、該分離用バンドを引き裂くための分離用摘みとを設け、前記注出筒部は、前記嵌合部の上端部を連結する環状上面壁から若しくは該環状上面壁周辺から上方へ突出し、その上端部で開封用バンドを介して前記上蓋と連結し、前記上蓋は、下部に前記開封用バンドを介して前記注出筒部に連結する封止筒部と、前記封止筒部の上部に配設された天面壁とを設け、前記開封用バンドと封止筒部との間には上開封用スコアを形成し、前記開封用バンドと前記注出筒部との間には下開封用スコアを形成して、前記封止筒部と注出筒部との間から前記開封用バンドの剥脱を可能とし、該開封用バンドの剥脱後は、前記封止筒部を前記注出筒部に嵌合することによって、前記上蓋を蓋本体に対して閉栓するようにした容器蓋において、前記上蓋の天面壁には前記分離用摘みに着脱可能な係合部を形成し、前記上蓋の開栓時に係合部を前記分離用摘みに係止させて上蓋を前記蓋本体に保持するようにした。
上記容器蓋の上開封用スコアは、前記封止筒部の下端外周面と前記開封用バンドの上端内周面との間に設けられ、前記下開封用スコアは、前記開封用バンド下端内周面と前記注出筒部の上端内周面との間に設けられていることが好ましい。
上記容器蓋の上蓋の天面壁には一対の突部を形成し、突部間に形成された凹部によって、前記分離用摘みを挟持することが好ましい。
上記容器蓋の前記突部間の間隔は一端側が狭く他端側を広く形成することが好ましい。
上記容器蓋の前記封止筒部には、周方向外側に突出する一条のビードを形成することが好ましい。
上記容器蓋は、前記連結バンドの前記蓋本体側の取付部を該蓋本体の外周面に設け、該取付部の下方に前記摘みを配置し、さらに開封用摘みを前記連結バンドに隣接させて配置することが好ましい。
【発明の効果】
【０００７】
本発明によれば、蓋本体と該蓋本体に対して連結バンドで連結される上蓋とを備えた容器蓋において、前記上蓋の天面壁には前記分離用摘みに着脱可能な係合部を形成し、前記上蓋の開栓時に係合部を前記分離用摘みに係止させて上蓋を前記蓋本体に保持するようにしたので、上蓋が分離用摘みに保持されることによって、内容物の注出時において、上蓋が邪魔になることがない。分離用摘みは、本来からあるものなので、特別に上蓋の保持部を形成する必要がなく、材料費の軽減を図ることができる。上蓋の取り外し時では、係合突部間に分離用摘みを挟持させているだけなので、取り外しも容易である。
また、上蓋のタンパーエビデント性としてサイドスコアを用いたリシール機構が打栓式キャップにおいて、初期密封性を図ることができる。
【図面の簡単な説明】
【０００８】
【図１】本発明の実施形態による容器蓋の開封前の背面図である。
【図２】図１の容器蓋の平面図である。
【図３】図２のＸ−Ｘ方向における断面図である。
【図４】図１の開封用バンド除去後の上蓋閉栓時における容器蓋の側面図である。
【図５】図１の開封用バンド除去後の閉栓時における断面図である。
【図６】図１の開封用バンド除去後であって上蓋を分離用摘みに保持させた状態の側面図である。
【図７】本発明の第２の実施形態における容器蓋の開封前の平面図である。
【図８】図７の容器蓋のＹ−Ｙ線方向の断面図である。
【図９】図７の開封用バンド除去後であって上蓋を分離用摘みに保持させた状態の側面図である。
【図１０】本発明の第３の実施形態における開封用バンド除去前の平面図である。
【図１１】本発明の第４の実施形態における開封用バンド除去前の平面図である。
【発明を実施するための形態】
【０００９】
以下、本発明の実施形態の容器蓋について、図面を参照しながら説明する。
図１は、本発明の実施形態による上蓋の背面図、図２は平面図、図３は断面図、図４は側面図である。なお、本明細書では、図２で示す容器蓋の左側を容器蓋の正面（前）側とし、右側を背面（後）側とする。
図に示すように、合成樹脂によって形成される容器蓋１は、蓋本体２と蓋本体２に対して連結バンド３で接続される上蓋４とを備えている。容器蓋１は全体として射出成形等によって一体に形成され、ペットボトルなどの合成樹脂性容器、或いは、パウチ容器のスパウトに装着される打栓式キャップの全般に用いられる。
【００１０】
蓋本体２は、容器口部７に装着される基部８と基部８の上側に設けられる注出筒部９とを有している。
基部８は、環状上面壁１１ｃと該環状上面壁１１ｃの周縁から下方に延びる外側環状壁１１ｂと該外側環状壁１１ｂから間隔を開けて該環状上面壁１１ｃの下面から下方に延びる内側環状壁１１ａとからなり、該外側環状壁１１ｂと該環状上面壁１１ｃと該内側環状壁１１ａとからなる嵌合部１１に容器口部７が嵌合されている。
外側環状壁１１ｂの下端には、薄肉に形成された環状の分離用スコア１２が形成され、環状の分離用バンド１５に連結され、後述する分離用摘み１６がある部分にて、縦方向破断部１８（図１）が形成されている。一方、容器口部７には、口部７の外周面から内側に窪むウエスト部１７の上方に係止顎部１４が形成され、分離用バンド１５の内周面にはウエスト部１７内に入り込むようにして係止顎部１４に係止される突部が形成されている。
【００１１】
分離用バンド１５の背面側には、分離用バンド１５から突出し、分離用スコア１２の引き裂くための分離用摘み１６を連結している。分離用摘み１６は、分離用バンド１５の上下幅と同じ幅を有し、平面視（図２参照）では、環状の分離用バンド１５の外周面から半径方向外側へ突出し、先端側の摘み本体１６ａが分離用バンド１５の接線方向と平行に延びるように形成され、全体がＬ字形状に形成されている。摘み本体１６ａは、上下面と左右側面とが平行になるように、略直方体形状に形成されている（図１参照）。
分離用バンド１５の分離用摘み１６に対応する位置（左側端部）には、上述した縦方向破断部１８（図１）が形成されており、縦方向破断部１８の上端は分離用スコア１２まで形成されており、下端は分離用バンド１５の下端まで形成されている。
分離用摘み１６を外側へ引っ張るようにすると、縦方向破断部１８を起点として分離用スコア１２が引き裂かれ、分離用バンド１５と容器６の係止顎部１４との係止状態が解除される。なお、縦方向破断部１８の上端には、切欠き部を設けて、縦方向破断部１８の破断を容易にすることもできる。
この分離用バンド１５は、いわゆるいたずら防止として、分離用バンド１５が正しく存在している場合では、閉栓状態が維持されることを保証するものである。
【００１２】
蓋本体２の注出筒部９は、嵌合部１１の環状上面壁１１ｃの内周縁から上方へ突出している。注出筒部９の上端部には、薄肉部である下開封用スコア２１を介して開封用バンド２２が連結され、さらに開封用バンド２２の上端部には薄肉部である上開封用スコア２０を形成している。そして、上開封用スコア２０を介して上蓋４が連結されている。上下開封用スコア２０，２１は注出筒部９及び上蓋４の円周方向に、かつ円形に形成され、上開封用スコア２０は、封止筒部２７の下端外周面と開封用バンド２２の上端内周面との間に設けられ、下開封用スコア２１は、開封用バンド２２下端内周面と注出筒部９の上端内周面との間に設けられている。すなわち、開封用バンド２２を取り除いた後、上蓋の封止筒部２７を注出筒部９の内面壁に挿入することにより容器のリシールを行うことが可能となるのである。
開封用バンド２２の背面には、開封用摘み２３が形成されている。開封用摘み２３は、開封用バンド２２の外周から半径方向外側へ突出し、その先端から上方へ延び、上蓋４の位置で上蓋４の周方向へ向けて横向きに屈折している。開封用摘み２３の上端側には、上蓋４と開封用摘み２３とを連結するピン形状のブリッジ２５が形成されている。ブリッジ２５は開封用摘み２３の先端を保持するものであり、指先による僅かな外力によって破断される。
開封用摘み２３を外側円周方向へ引っ張ると、ブリッジ２５による上蓋４と開封用摘み２３との連結が解除されるとともに、上下開封用スコア２０，２１が引き裂かれ、開封用バンド２２及び開封用摘み２３は容器蓋１から分離される。なお、開封用バンド２２の開封用摘み２３との連結部に対応する位置（左側端部）には、上開封用スコア２０と下開封用スコア２１を連結する薄肉部が形成されている。
【００１３】
上蓋４は、下側に封止筒部２７を設け、上方側に天面部２６を設けている。筒状の封止筒部２７は、外側に突出する環状ビード２８を形成し、環状ビード２８の外径は、注出筒部９の上端側の内周面のリシール部３０（図３）の内径よりも僅かに大きく形成されている。封止筒部２７の上部には、封止筒部２７の上部において周方向外側に突出し、リシール時に注出筒部９の上縁に当接する規制部３２を形成している。規制部３２は、下方に向くとともに環状形の平坦面を有している。
開封用バンド２２が取り残された後は、封止筒部２７をリシール部３０に嵌合させて、上蓋４を注出筒部９の上端開口（リシール部２０）に対して閉栓することができ、上蓋４を取り除くことによって開栓も可能にする（図５及び図６参照）。
【００１４】
また、上蓋４の天面部２６には、天面壁３３を囲繞するようにして該天面壁３３の外周から上方へ突出する環状の外周壁３５を形成している。外周壁３５の外周面には、正面側に上蓋４を開栓するための開栓用摘み２９を設け、開栓用摘み２９は外周壁３５の外周面から庇状に外側に突出するように形成されている。
外周壁３５の背面側下部には、蓋本体２と上蓋４とを連結する帯状の連結バンド３の一端を連結し、連結バンド３の他端は注出筒部９の背面側の外周面における上下方向のほぼ中間位置に連結されている。
したがって、図１に示すように、容器蓋１の背面側には、連結バンド３と、開封用バンド２２を引き裂くための開封用摘み２３と、分離用バンド１５を引き裂くための分離用摘み１６が配設されている。そして、開封用摘み２３のアーム２３ａが連結バンド３と左右に隣接し、連結バンド３と分離用摘み１６が、容器蓋１における同じ周角度の上下関係の位置に配設されている。
【００１５】
上蓋の平坦な天面壁３３の上面には、係合突部３７，３８が形成されている。係合突部３７，３８は天面壁３３の上面から上方へ突出し、図２に示すように、容器蓋１の正面から背面を結ぶ中心線よりも一方の（図面中心線の下）側に、換言すれば分離用摘み１６がある側に配設されている。詳しくは、係合突部３７，３８は一方向へ延びる直方体形状であって、係合突部３７，３８の一端を前記中心線上に配置し、他端を容器蓋１の側方（摘み本体１６ａがある方）に延びるように形成されている。平行に配置される係合突部３７と３８間の間隔Ｌ１は、分離用摘み１６の高さよりも同じか僅かに小さく形成され、上蓋４を開栓したときに、係合突部３７，３８によって形成された凹部間に分離用摘み１６を挟持したり、取り外ししたりするように形成されている。一方の係合突部３７の長さは、外周壁３５に干渉しないように、他方の係合突部３８よりも短く形成されている。係合突部３７の高さは、外周壁３５と同じ高さか若干低く形成されている。
なお、係合突部３７，３８の一端を中心線上に合わせて配置したが、分離用摘み１６を挟持できる範囲であれば、他端側の位置も併せて制限されることはない。
更に、係合突部３７と係合突部３８の間の面を上方に行くに従い遠ざかる方向に傾斜して延びていても良い。このようにすることにより係合突部３７と係合突部３８間に分離用摘み１６を固定し易くすることが可能となる。即ち、この場合、分離用摘み１６の高さを係合突部３７と３８との間隔Ｌ１内に設定することができるのである。
【００１６】
次に、本発明の実施形態による容器蓋の作用について説明する。
本願発明は、容器蓋１を容器６の容器口部７に装着（打栓）する場合に、注出筒部９を含めて注出筒部９よりも上側には、余計な力が負荷することなく、基部８の環状上面壁１１ｃのみに負荷がかかる。よって、開封用バンド２２の上下に形成した薄肉部である開栓用スコア２０，２１が容器蓋１の打栓時において、開栓用スコア２０，２１よりも大きな部位を乗り越えるようなことがなく、開栓用スコア２０，２１が破損されることがない。基部８については、従来の容器口部７との連結構造を使用でき、基部８よりも上方部分については、完全に密閉がされるので、容器の密閉性が確保される。
【００１７】
容器蓋１を開封するときには、開封用摘み２３を摘んで、開封用バンド２２を外側へひっくり返すようにして引き裂くようにする。開封用バンド２２の上下には開封用スコア２０，２１が周方向に形成されているので、それらの開封用スコア２０，２１が破断され、開封用バンド２２を外すことができる。開封用摘み２３は、連結バンド３に隣接して配置されており、開封用バンド２２は開封用摘み２３を起点にして、連結バンド３がある側と反対側に向けて破断するので、連結バンド３が破断時において、途中で邪魔になることがない。破断の終了時においては、連結バンド３の内側から開封用バンド２２を引き裂くことができ、連結バンド３が開封用バンド２２を引き裂くときに邪魔になることがない。
なお、開封用バンド２２の開封用摘み２３との連結部に対応する位置（左側端部）には、上開封用スコア２０と下開封用スコア２１を連結する薄肉部が形成されていて、開封用スコア２０，２１の初期の破断を容易にしている。
【００１８】
開封用バンド２２が引き裂かれた後は、蓋本体２と上蓋４が分離されるが、連結バンド３を介して連結されることになる。
蓋本体２に上蓋４を閉栓させるときは、図５に示すように、注出筒部９の上端部に開口されたリシール部３０に封止筒部２７を嵌合させ、規制部３２がリシール部３０の上端に当接するまで封止筒部２７を押し込む。封止筒部２７に形成された環状ビード２８はリシール部３０に密着するので、上蓋４の閉栓時において容器内の密閉性を確保できる。
【００１９】
容器６の内容物を注出するときは、上蓋４を蓋本体２の注出部９から取り外して使用するが、上蓋４は連結バンド３を介して蓋本体２に連結されているので、紛失することがない。
内容物の注出時では、上蓋４が連結バンド３のフリー端側に支持されるので、内容物が注がれているときに上蓋４が邪魔になることがある。これを防止する手だてとして、上蓋４に形成した係合突部３７，３８の間の凹部によって分離用摘み１６を挟持させて、図６に示すように、上蓋４を分離用摘み１６に保持させる。このように、上蓋４が分離用摘み１６に保持されることによって、上蓋４が邪魔になることがない。分離用摘み１６は、容器６使用後に容器６から容器蓋１を取り除く時に必要なものであり、特別に上蓋４の保持部を形成する必要がなく、材料費の軽減を図ることができる。上蓋４の取り外し時では、係合突部３７，３８間に分離用摘み１６を挟持させているだけなので、取り外しも容易である。
容器６が空になった後は、廃棄物の分別として容器６と容器蓋１との分離を行うが、この場合は、分離用摘み１６を摘んで、分離用バンド１５の分離用スコア１２を破断する。すると、分離用バンド１５と容器６の係止顎部１４の係止状態が解除され、容器蓋１を容器口部７から取り除くことができる。
【００２０】
このように、本願発明は、上蓋４の開封前に密閉性が失われることなく、注出時における上蓋４の保持部を別途設けることなく保持できる容器蓋１を提供するものである。
また、本実施形態における容器蓋１は、図１〜図３に示すような形態で、成形用金型内で一体成形される。通常の容器蓋では、開封用バンド２２がなく、上蓋を水平方向へ開いた状態で一体成形される。そのため、成形用金型では、上蓋の面積と蓋本体側の面積（及び連結部材）を併せた分だけスペースを要するが、本実施形態では一直線上に上蓋４と蓋本体２とが、ほぼ並んでいるので成形金型の面積を要することなく、成形用金型の大きさを小さくできる効果もある。さらに、前者の成形金型（従来）の成形後は上蓋を蓋本体に閉じる作業が必要となるが、本願発明は上蓋４と蓋本体２とが開封用バンド２２を介して連結されているので、そのような作業を省略する効果がある。
【００２１】
次に、本発明の第２の実施形態について、図面を参照しながら説明する。
本実施形態では、上記第１の実施形態において、係合突部３７，３８の位置が異なり、係合突部３７，３８以外の構造は、上記第１の実施形態と同じであるので、その詳細な説明を省略し、上記実施形態と同じ符号を付す。
図７に示すように、上蓋４の平坦な天面壁３３の上面には、係合突部４１，４２が形成されている。係合突部４１，４２は天面壁３３の上面から上方へ突出している。係合突部４１，４２は直方体形状であって、容器蓋１の正面から背面を結ぶ中心線に対して、長尺方向が延び且つ互いに平行になるように延びている。一方の係合突部４１は、内側の面を前記中心線上に配置し、すなわち、分離用摘み１６の中心線側の一端面に一致させ、他方の係合突部４２の内側の面を分離用摘み１６の他端側の端面に一致させている。
平行に配置される係合突部４１と４２間の間隔Ｌ３は、分離用摘み１６の幅Ｌ４よりも同じか僅かに小さく形成され、上蓋４を開栓したときに、係合突部４１，４２によって形成された凹部間に分離用摘み１６を挟持したり、取り外しができるように形成されている。
なお、係合突部４１，４２の位置については、分離用摘み１６を挟持できる範囲であれば制限されることはない。
このように、本実施形態における係合突部４１，４２は、延在方向が上記第１の実施形態とは向きが９０度異なるが、このように形成しても上記第１の実施形態と同様の効果を得ることができる。
【００２２】
次に、本発明の第３の実施形態について、図面を参照しながら説明する。
本実施形態では、上記第１の実施形態において、係合突部３７，３８の位置が異なり、係合突部３７，３８以外の構造は、上記第１の実施形態と同じであるので、その詳細な説明を省略し、上記実施形態と同じ符号を付す。
図１０に示すように、上蓋４の平坦な天面壁３３の上面には、係合突部４３，４４が形成され、係合突部４３，４４は天面壁３３の上面から上方へ突出している。係合突部４３，４４は断面が四角形のほぼ直方体形状であって、容器蓋１の正面から背面を結ぶ中心線に対して、長尺方向がやや傾斜して延びている。一方の係合突部４３は、中心線上に位置するように配置し、他方の係合突部４４を分離用摘み１６のある側に配置させている。そして、係合突部４３，４４の間隔は分離用摘み１６のある側が狭く、それらの端部間は分離用摘み１６の横幅よりも小さく、分離用摘み１６のある側と反対側（開栓用摘み２９側）は広く、それらの端部間は分離用摘み１６の横幅よりも大きく形成されている。
上蓋４を開栓したときには、係合突部４３と４４間に形成された凹部間に分離用摘み１６の横幅間を挟持するようにして、容器蓋１を分離用摘み１６に保持させることができる。こうして、係合突部４３と４４との間に傾斜を設けることによって、分離用摘み１６に入れやすく次第にきつくなるようにし、また、上記第１の実施形態の効果をそのまま有するようにしている。
【００２３】
次に、本発明の第４の実施形態について、図面を参照しながら説明する。
本実施形態では、上記第１の実施形態において、係合突部３７，３８の位置が異なり、係合突部３７，３８以外の構造は、上記第１の実施形態と同じであるので、その詳細な説明を省略し、上記実施形態と同じ符号を付す。
図１０に示すように、上蓋４の平坦な天面壁３３の上面には、係合突部４５，４６が形成され、係合突部４５，４６は天面壁３３の上面から上方へ突出している。係合突部４５，４６は断面が四角形のほぼ直方体形状であって、容器蓋１の正面から背面を結ぶ中心線に対して、一方の係合突部４５は、長尺方向が直角になるように延び、他方の係合突部４６は中心線の直角方向に対してやや長尺方向が傾斜して配置させている。そして、係合突部４５，４６の間隔は中心線側が広く、それらの端部間は分離用摘み１６の縦幅よりも大きく、中心線側と反対側は狭く、それらの端部間は分離用摘み１６の縦幅よりも小さく形成されている。
上蓋４を開栓したときには、係合突部４５と４６間に形成された凹部間に分離用摘み１６の縦幅間を挟持するようにして、容器蓋１を分離用摘み１６に保持させることができる。こうして、係合突部４５と４６との間に傾斜を設けることによって、分離用摘み１６に入れやすく次第にきつくなるようにしている。また、上記第１の実施形態の効果をそのまま有するようにしている。
【００２４】
以上、本発明を実施形態に基づいて添付図面を参照しながら詳細に説明したが、本発明は上記実施形態に限定されるものではなく、本発明の範囲を逸脱することなく、更に他の変形あるいは変更が可能である。
例えば、上記実施形態では、分離用摘み１６を一対の係合突部によって挟持するようにしたが、本実施形態における上蓋において外周壁３５がないような上蓋では、上蓋の天面壁に分離用摘み１６を内部に収容する凹（孔）部を形成して、凹部に分離用摘み１６を差し込んで上蓋４を保持させるようにしてもよい。
また、上蓋４に引っかけ部を形成し、Ｌ字形状の分離用摘み１６に該引っかけ部を引っかけるようにしてもよい。
【符号の説明】
【００２５】
１  容器蓋
２  蓋本体
３  連結バンド
４  上蓋
６  容器
７  容器口部
８  基部
１０  注出筒部
１１  嵌合部
１１ａ  内側環状壁
１１ｂ  外側環状壁
１１ｃ  環状上面壁
１２  分離用スコア
１４  係止顎部
１５  分離用バンド
１６  分離用摘み
２２  開封用バンド
２３  開封用摘み
２６  天面部
２７  封止筒部
２９  開栓用摘み
３０  リシール部
３３  天面壁
３７，３８，４１〜４６  係合突部
【図１】
0005643136.tif 000002
【図２】
0005643136.tif 000003
【図３】
0005643136.tif 000004
【図４】
0005643136.tif 000005
【図５】
0005643136.tif 000006
【図６】
0005643136.tif 000007
【図７】
0005643136.tif 000008
【図８】
0005643136.tif 000009
【図９】
0005643136.tif 000010
【図１０】
0005643136.tif 000011
【図１１】
0005643136.tif 000012